(57)【要約】【課題】  本発明は、片手での注出操作を容易に実施可能なポンプ付き注出容器を創出することを技術的な課題とするものである。【解決手段】  容器本体の口筒部に有頂円筒状の組付きキャップにより手動押下げポンプを組付け固定したポンプ付き注出容器において、組付きキャップの上方に頂部に開口部を形成した有頂筒状の螺合装着体を同軸心状に配設し、組付きキャップの頂壁の開口部および螺合装着体の頂部の開口部を挿通して上方に突出したポンプのステムの上端部に、ノズル筒を延出したノズルヘッドを嵌着し、このノズルヘッドは下降変位した状態で螺合装着体に螺合固定可能な構成とし、螺合装着体の側周壁から外鍔状に、ノズルヘッドの押下げ操作において指掛けの機能を発揮する係止板片を一体突設する。【選択図】  図１
2010195442.tif 000002
【特許請求の範囲】
【請求項１】
容器本体(1)の口筒部(2)に有頂円筒状の組付きキャップ(11)により手動押下げポンプを組付け固定したポンプ付き注出容器であって、前記組付きキャップ(11)の上方に頂部(22)に開口部(23)を形成した有頂筒状の螺合装着体(21)を同軸心状に配設し、前記組付きキャップ(11)の頂壁(12)の開口部(13)および螺合装着体(21)の頂部(22)の開口部(23)を挿通して上方に突出したポンプ(41)のステム(42)の上端部に、ノズル筒(36)を延出したノズルヘッド(31)を嵌着し、該ノズルヘッド(31)は下降変位した状態で前記螺合装着体(21)に螺合固定可能な構成とし、前記螺合装着体(21)の側周壁(24)から外鍔状に、前記ノズルヘッド(31)の押下げ操作において指掛けの機能を発揮する係止板片(27)を一体突設する構成としたことを特徴とするポンプ付き注出容器。
【請求項２】
ノズル筒(36)の先端部が係止板片(27)の先端部より外側に突出可能に、係止板片(27)の先端部(27t)を凹状に基端方向に凹ませた形状とした請求項１記載のポンプ付き注出容器。
【請求項３】
係止板片(27)の先端部(27t)を斜め下方に傾斜状とした請求項１または２記載のポンプ付き注出容器。
【請求項４】
螺合装着体(21)は、組付きキャップ(11)の開口部(13)から突出したポンプ(41)の円筒状のシリンダー(43)の上端部に回動不能に嵌合して組付きキャップ(11)の上方に配設される構成とした請求項１、２または３記載のポンプ付き注出容器。
【請求項５】
螺合装着体(21)は、側周壁(24)の上部外周面に螺条(25)を形成し、下端部に係止板片(27)を一体設し、有頂筒状のノズルヘッド(31)の側周壁(34)の内周面に螺溝(35)を形成し、ノズルヘッド(31)が螺合装着体(21)に螺合する構成とした請求項１、２、３または４記載のポンプ付き注出容器。
【発明の詳細な説明】
【技術分野】
【０００１】
本発明は、容器本体の口筒部に手動押下げ式のポンプを組付け固定したポンプ付き注出容器に関する。
【背景技術】
【０００２】
たとえば特許文献１には、容器本体の口筒部に容器本体に収納された内容液を注出する手動押下げポンプを組付きキャップで組付け固定したポンプ付き注出容器に係る発明が記載されている。
【先行技術文献】
【特許文献】
【０００３】
【特許文献１】特開平１０−２９６１４０号公報
【発明の概要】
【発明が解決しようとする課題】
【０００４】
この種のポンプ付き注出容器、特に据置きタイプの注出容器では、通常、一方の手でノズルヘッドを押圧しながら、もう一方の手の、手の平で注出される内容液を受け取るようにして注出操作を実施する。
一方で、実際の使用では片方の手が塞がった状態で注出操作をする必要がある場面もあり、片手での注出操作を容易に実施可能なポンプ付き注出容器が要望されている。
【０００５】
そこで、本発明は、片手での注出操作を容易に実施可能なポンプ付き注出容器を創出することを技術的な課題とするものである。
【課題を解決するための手段】
【０００６】
上記課題を解決するための手段のうち、本発明の主たる構成は、
容器本体の口筒部に有頂円筒状の組付きキャップにより手動押下げポンプを組付け固定したポンプ付き注出容器において、
組付きキャップの上方に頂部に開口部を形成した有頂筒状の螺合装着体を同軸心状に配設し、
組付きキャップの頂壁の開口部および螺合装着体の頂部の開口部を挿通して上方に突出したポンプのステムの上端部に、ノズル筒を延出したノズルヘッドを嵌着し、このノズルヘッドは下降変位した状態で螺合装着体に螺合固定可能な構成とし、
螺合装着体の側周壁から外鍔状に、ノズルヘッドの押下げ操作において指掛けの機能を発揮する係止板片を一体突設する。
【０００７】
上記構成のポンプ付き注出容器は、キャップの上方に螺合装着体を配設して、内容液を充填した製品の保管、輸送あるいは陳列段階ではノズルヘッドを下降変位した状態で螺合装着体に螺合固定し、誤操作により内容液が注出しないように構成したタイプのものである。
使用時にノズルヘッドの螺合状態を解消すると、ポンプ内に配設されたスプリングの上方への付勢作用によりノズルヘッドは上方に変位し、この状態からノズルヘッドを押し下げることにより内容液を注出することができる。
【０００８】
そして上記構成のポンプ付き注出容器は、上記のようにノズルヘッドを下降変位した状態で固定する機能を発揮する螺合装着体を利用し、この螺合装着体の側周壁から外鍔状に係止板片一体突設したものであり、
手の平が上向きなるようにして親指以外の指先を揃え、人差し指等をこの係止板片に下方から当接した状態で、親指でノズルヘッドを押下げることにより、内容液を手の平の上に注出することができ、片手での注出操作を容易に達成することが可能となる。
【０００９】
上記した片手による注出操作では、人差し指等を係止板片に下方から当接させることにより、注出容器をしっかりと支持することができる共に、内容液が吐出するノズル筒と、吐出する内容液受け取る手の平の位置関係を安定して維持することができるので、注出操作を安定して実施することができる。
また、親指と人差し指等によりノズルヘッドと係止板片を挟持するような状態でノズルヘッドに押圧力を効果的に作用させることができノズルヘッドの押し下げを比較的小さな力で達成することが可能となる。
【００１０】
また、上記したように親指と人差し指等によりノズルヘッドと係止板片を挟持するような状態でノズルヘッドに押圧力を作用させるので、容器本体に直接、力を作用させることなく注出操作を実行することができ、容器本体として比較的薄肉で座屈強度の小さなものも使用することができる。
【００１１】
また、螺合装着体は組付きキャップとは別部材として成形されるものであり、係止板片を容易に一体設することが可能となる。
【００１２】
本発明の他の構成は、上記主たる構成において、ノズル筒の先端部が係止板片の先端部より外側に突出可能に、係止板片の先端部を凹状に基端方向に凹ませた形状とする、と云うものである。
【００１３】
内容液の粘度によってはノズル筒の先端から内容液が下方に落下する場合があるが、このような場合にも、上記構成によれば内容液が係止板片に当たって付着するのを防止することができ、気持ちよく使用することが可能となる。
【００１４】
本発明のさらに他の構成は、係止板片の先端部を前方斜め下方に傾斜状とする、と云うものである。
【００１５】
上記構成により、注出操作において、前方斜め下方に傾斜状とした係止板片の先端部の係止作用により、人差し指等を、注出操作中も横滑りすることなく、係止板片に下方から当接させることができ、片手での注出操作をより安定して実施することが可能となる。
【００１６】
本発明のさらに他の構成は、螺合装着体は、組付きキャップの開口部から突出したポンプの円筒状のシリンダーの上端部に回動不能に嵌合して組付きキャップの上方に配設される構成とする、と云うものである。
【００１７】
上記構成は、螺合装着体の組付きキャップの上方への配設態様に係る具体的な手段の一つである。ポンプは組付きキャップにより容器本体の口筒部にしっかりと組み付けられており、螺合装着体をこのポンプのシリンダーの上端部に回動不能に嵌合することにより、螺合装着体のノズルヘッドを下降変位した状態に保持する機能が確実に発揮される共に、ノズルヘッドの螺脱操作を容易に実施することが可能となる。
【００１８】
本発明のさらに他の構成は、螺合装着体は、側周壁の上部外周面に螺条を形成し、下端部に係止板片を一体設し、有頂筒状のノズルヘッドの側周壁の内周面に螺溝を形成し、ノズルヘッドが螺合装着体に螺合する構成とする、と云うものである。
【００１９】
上記構成は、螺合装着体の形状、およびノズルヘッドの螺合態様に係る具体的な手段の一つである。
【発明の効果】
【００２０】
本発明の主たる構成を有するものにあっては以下に示す効果を奏する。
すなわち、手の平が上向きなるようにして親指以外の指先を揃え、人差し指等を螺合装着体の側周壁から外鍔状に一体突設された係止板片に下方から当接した状態で、親指でノズルヘッドを押下げることにより、内容液を手の平の上に注出することができ、片手での注出操作を容易に達成することができる。
そして、人差し指等を係止板片に下方から当接させることにより、注出容器をしっかりと支持することができる共に、内容液が吐出するノズル筒と、吐出する内容液を受け取る手の平の位置関係を安定して維持することができるので、注出操作を安定して実施することができる。
【００２１】
また、螺合装着体は組付きキャップとは別部材として成形されるものであり、係止板片を容易に一体設することができる。
【図面の簡単な説明】
【００２２】
【図１】本発明の注出容器の一実施例を部分的に縦断して示す側面図である。
【図２】図１の注出容器の平面図である。
【図３】図１の注出容器の使用態様を示す概略説明図である。
【発明を実施するための最良の形態】
【００２３】
以下、本発明の実施の形態を実施例に沿って図面を参照しながら説明する。
図１、図２は本発明のポンプ付き注出容器の一実施例を示すものであり、図１は部分的に縦断して示す側面図、図２は平面図である。
【００２４】
この注出容器は、ブロー成形による容器本体１、ポンプ４１、ポンプ４１の上端部に配設されるノズルヘッド３１、ポンプ４１を容器本体１の口筒部２に組付け固定する組付きキャップ１１、そして螺合装着体２１の部材から構成されている。
ポンプ４１は、縦長円筒状のシリンダー４３中にピストンとしての機能を発揮するステム４２をスプリング４４により上方に付勢した状態で密摺動可能に配設したものであり、シリンダー４３の上端部にはフランジ４６が外鍔状に付設されている。
【００２５】
ノズルヘッド３１は有頂円筒状で、側周壁３４の上端部から横方向（前方）にノズル筒３６を延出したものであり、頂部３２から垂下設した嵌合筒３７がポンプ４１のステム４２の上端部に密外嵌し、組付き固定される。
また、側周壁３４の内周面には後述する螺合装着体２１の螺条２５に螺合する螺溝３５が形成されている。
【００２６】
組付きキャップ１１は有頂円筒状で頂壁１２には開口部１３が形成され、側周壁１４の内周面には螺溝が形成されており、図１に示されているように、この組付きキャップ１１を容器本体１の口筒部２に螺合組付けする際に、ポンプ４１のフランジ４６を、組付きキャップ体１１の頂壁１２と容器本体１の口筒部２の上端面でパッキン５１を介して挟持することにより、ポンプ４１を容器本体１にしっかりと組付け固定することができる。
【００２７】
螺合装着体２１は有頂円筒状で頂部２２には開口部２３が形成され、側周壁２４の外周面の上部には螺条２５が形成されている。また側周壁２４の外周面の下部からは外鍔状に、ノズルヘッド３１の押下げ操作において指掛けの機能を発揮する係止板片２７が一体突設されている。
また、この螺合装着体２１は、組付きキャップ１１の頂壁１２の開口部１３から突出するポンプ４１のシリンダー４３の上端部に抜け出し、およびキー構造により回動不能に嵌合した状態で、組付きキャップ１１の上方に配設されている。
【００２８】
本実施例の注出容器は、内容液を充填した製品の保管、輸送あるいは陳列段階ではノズルヘッド３１を下降変位した状態で螺合装着体２１に螺合により固定され、誤操作により内容液が注出しないように構成したタイプのものである。
使用時にノズルヘッド３１の螺合状態を解消すると、ポンプ４１内に配設されたスプリング４４の上方への付勢作用によりノズルヘッド３１は上方に変位し（図１の状態）、この状態からノズルヘッド３１を押し下げることにより内容液を注出することができる。
【００２９】
図３は本実施例の注出容器の使用態様を示す概略説明図である。
この図にあるように、手Ｈの手の平が上向きなるようにして親指以外の指先を揃え、人差し指を螺合装着体２１に一体設した係止板片２７に下方から当接した状態で、親指でノズルヘッド３１を押し下げることにより、内容液Ｌを手の平の上に注出することができ、片手での注出操作を容易に達成することができる。
【００３０】
さらに詳述すると、人差し指を係止板片２７に下方から当接させることにより、注出容器をしっかりと支持することができる共に、内容液Ｌが吐出するノズル筒３６と、吐出する内容液Ｌを受け取る手の平の位置関係を安定して維持することができるので、注出操作を安定して実施することができる。
また、親指と、人差し指によりノズルヘッド３１と係止板片２７を挟持するような状態でノズルヘッド３１に押圧力を効果的に作用させることができ、ノズルヘッド３１の押し下げを比較的小さな力で実施することができる。
【００３１】
そして、上記したように親指と人差し指等によりノズルヘッド３１と係止板片２７を挟持するような状態でノズルヘッド３１に押圧力を作用させるので、容器本体１に直接、力を作用させることなく注出操作を実行することができ、容器本体１として比較的薄肉で座屈強度の小さなものも使用することができる。
【００３２】
また、本実施例では、係止板片２７の先端部２７ｔを斜め下方に傾斜状としており、この傾斜状にした先端部２７ｔの係止作用により、係止板片２７の下方から当接させた人差し指の横滑りを効果的に抑制することができ、片手での注出操作を安定して実施することができる。
【００３３】
さらに、本実施例ではノズル筒３６の先端部が係止板片２７の先端部２７ｔより外側に突出するように、係止板片２７先端部２７ｔを凹状に基端方向に凹ませた形状としている。
内容液の粘度によってはノズル筒３６の先端から内容液が下方に落下する場合があるが、上記構成によれば、このような場合にも内容液が係止板片２７に当たって付着するのを防止することができ、気持ちよく使用することができる。
【００３４】
以上、本発明の実施の形態を実施例に沿って説明したが、本発明の実施形態はこれら実施例に限定されるものではない。
たとえば、ノズルヘッド３１と螺合装着体２１の螺合様式は本実施例の他にも、本実施例のノズルヘッド３１の嵌合筒３７に相当する部分の外周面に螺条を形成し、螺合装着体２１の頂部２２の開口部２３に相当する部分に螺溝を形成し、両者を螺合する構成とすることもできる。
【産業上の利用可能性】
【００３５】
以上説明したように、本発明のポンプ付き注出容器は片手での注出操作を容易に実現できるものであり、幅広い用途に展開することが期待される。
【符号の説明】
【００３６】
１  ；容器本体
２  ；口筒部
１１；組付きキャップ
１２；頂壁
１３；開口部
１４；側周壁
２１；螺合装着体
２２；頂部
２３；開口部
２４；側周壁
２５；螺条
２７；係止板片
２７ｔ；先端部
３１；ノズルヘッド
３２；頂部
３４；側周壁
３５；螺溝
３６；ノズル筒
３７；嵌合筒
４１；ポンプ
４２；ステム
４３；シリンダー
４４；スプリング
４６；フランジ
５１；パッキン
Ｈ  ；手
Ｌ  ；内容液
【図１】
2010195442.tif 000003
【図２】
2010195442.tif 000004
【図３】
2010195442.tif 000005